(57)【特許請求の範囲】
【請求項１】
椅子の幅方向に離間して床面上に起立する一対の脚体と、前記一対の脚体の間に配置される座体と、を含む椅子本体と、
前記椅子本体に設けられて外部の機器を電気的に接続可能とする機器接続部と、を備え、
前記一対の脚体の少なくとも一方は、その内部に外部から物品を出し入れ可能な物品収納空間を形成する箱状脚体とされ、
前記箱状脚体内には、前記機器接続部から延びる配線を挿通する配線挿通空間を、前記物品収納空間と隔てて形成する脚内ダクト部材が設けられる椅子ユニット。
【請求項２】
前記箱状脚体の前部には、前記物品収納空間に物品を出し入れ可能とする開口部が形成され、
前記箱状脚体の後部には、上下方向に延びる前記脚内ダクト部材が設けられる請求項１に記載の椅子ユニット。
【請求項３】
前記物品収納空間に椅子の幅方向と略直交する姿勢の天板を収納する収納状態と、前記物品収納空間から前記天板を取り出して該天板を略水平な姿勢で保持する使用状態と、の間で前記天板を移動可能に支持するテーブル装置を備える請求項１又は２に記載の椅子ユニット。
【請求項４】
前記椅子本体は、前記座体の後方に配置される背凭れを含み、
前記箱状脚体は、椅子の幅方向両側に配置される一対の側板を備え、
前記一対の側板の少なくとも一方は、前記背凭れに連結される請求項１から３の何れか１項に記載の椅子ユニット。
【請求項５】
前記箱状脚体は、下端部が前記床面に固定され、
前記脚内ダクト部材の下部には、前記箱状脚体内かつ前記物品収納空間の下方で椅子の奥行方向に延びる脚内下部カバー部材が着脱可能に固定され、
前記脚内下部カバー部材は、前記箱状脚体を床面に固定する固定部を上方から覆って前記物品収納空間と隔てる請求項１から４の何れか１項に記載の椅子ユニット。
【請求項６】
前記椅子本体は、前記配線挿通空間の後方を遮蔽する後方遮蔽部を備える請求項１から５の何れか１項に記載の椅子ユニット。
【請求項７】
前記箱状脚体は、椅子の幅方向両側に配置される一対の側板を備え、
前記脚内ダクト部材は、前記一対の側板の間で椅子の幅方向に延びる基部を備える請求項１から６の何れか１項に記載の椅子ユニット。
【請求項８】
前記脚内ダクト部材は、前記基部の両側に一対の起立部を有する断面視門形である請求項７に記載の椅子ユニット。
【請求項９】
前記一対の起立部は、前記一対の側板にそれぞれ連結される請求項８に記載の椅子ユニット。
【発明の詳細な説明】
【技術分野】
【０００１】
本発明は、通信、通電等を行うための配線接続部を備える椅子ユニットに関する。
【背景技術】
【０００２】
上記技術分野に属する椅子としては、例えば、下記特許文献１に開示されるものが公知である。
この文献に開示される椅子では、床面に立設されて背凭れと座とを支持する一対の脚部材の上部が肘掛けとされ、この肘掛けの上面における後部に、着座者の配線接続部としてのコンセントが上方を向いて取り付けられている。これにより、着座者は、コンセントを介して外部の電気機器への通電を行うことができる。また、配線接続部がＬＡＮポートであれば、このＬＡＮポートを介して外部の電気機器を用いた通信等を行うことができる。
【先行技術文献】
【特許文献】
【０００３】
【特許文献１】特開２０１３−０９４２５８号公報
【発明の概要】
【発明が解決しようとする課題】
【０００４】
ところで、上記文献に開示される椅子は、脚部材にメモ台が略垂直をなす収納状態で支持されている。メモ台は、着座中に簡単な筆記作業を行ったり、書類を広げたりといった作業を可能にするもので、略水平をなす使用状態から回動して、メモ台本体の自重によって付勢された状態で収納状態へ変位する。
このように、物品が出し入れされる脚部材に対し、配線接続部に至る配線は、床面から立ち上がって脚部材の内部を通過して配線接続部へ至る。すなわち、配線接続部から延びる配線がメモ台を入り込ませる脚部材内に設置されているため、メモ台との干渉により配線が破損してしまうことを防止する必要があり、改善が求められている。
【０００５】
そこで本発明は、物品が出し入れされる脚部材内に配線を設置する場合にも、配線と物品との干渉を無くし、配線の破損を防止するとともに物品収納空間を広くすることが可能な椅子ユニットを提供する。
【課題を解決するための手段】
【０００６】
本発明の椅子ユニットは、椅子の幅方向に離間して床面上に起立する一対の脚体と、前記一対の脚体の間に配置される座体と、を含む椅子本体と、前記椅子本体に設けられて外部の機器を電気的に接続可能とする機器接続部と、を備え、前記一対の脚体の少なくとも一方は、その内部に外部から物品を出し入れ可能な物品収納空間を形成する箱状脚体とされ、前記箱状脚体内には、前記機器接続部から延びる配線を挿通する配線挿通空間を、前記物品収納空間と隔てて形成する脚内ダクト部材が設けられる。
この構成によれば、物品収納空間を形成する箱状脚体の内部に、物品収納空間と隔てて配線挿通空間を形成する脚内ダクト部材を設けることで、物品収納空間に出し入れされる物品と配線挿通空間に挿通される配線との干渉を無くすことができる。これにより、物品との干渉による配線の破損を防止するとともに、物品収納空間を可及的に広くすることができる。
【０００７】
また、上記椅子ユニットにおいて、前記箱状脚体の前部には、前記物品収納空間に物品を出し入れ可能とする開口部が形成され、前記箱状脚体の後部には、上下方向に延びる前記脚内ダクト部材が設けられる構成でもよい。
この場合、脚体の前部で出し入れされる物品を避けて、脚体の後部に上下方向に延びる配線挿通空間を形成することで、機器接続部から箱状脚体内を延びて床面側に至る配線の設置位置を確定させ、物品収納空間を可及的に広くすることができる。
また、上記椅子ユニットにおいて、前記物品収納空間に椅子の幅方向と略直交する姿勢の天板を収納する収納状態と、前記物品収納空間から前記天板を取り出して該天板を略水平な姿勢で保持する使用状態と、の間で前記天板を移動可能に支持するテーブル装置を備える構成でもよい。
この場合、箱状脚体内に天板を出し入れ可能とするテーブル装置を備える構成において、物品配置空間及び天板の大きさを極力確保しながら、天板を箱状脚体内に収納するときに天板と箱状脚体内の配線とが干渉することを防止することができる。
また、上記椅子ユニットにおいて、前記椅子本体は、前記座体の後方に配置される背凭れを含み、前記箱状脚体は、椅子の幅方向両側に配置される一対の側板を備え、前記一対の側板の少なくとも一方は、前記背凭れに連結される構成でもよい。
この場合、箱状脚体と背凭れとを連結して剛性の高い椅子本体を形成することができる。
【０００８】
また、上記椅子ユニットにおいて、前記箱状脚体は、下端部が前記床面に固定され、前記脚内ダクト部材の下部には、前記箱状脚体内かつ前記物品収納空間の下方で椅子の奥行方向に延びる脚内下部カバー部材が着脱可能に固定され、前記脚内下部カバー部材は、前記箱状脚体を床面に固定する固定部を上方から覆って前記物品収納空間と隔てる構成でもよい。
この場合、物品収納空間側から床面への固定部にアクセスして箱状脚体を着脱可能とした上で、床面への固定部と物品収納空間とを隔てて固定部の露出を無くし、物品収納空間に出し入れされる物品と固定部との干渉を無くすとともに、見栄えを良好にすることができる。
また、上記椅子ユニットにおいて、前記椅子本体は、前記配線挿通空間の後方を遮蔽する後方遮蔽部を備える構成でもよい。
この場合、配線挿通空間に挿通される配線の後方への露呈を、椅子本体の一部を利用して防止することができる。
また、上記椅子ユニットにおいて、前記箱状脚体は、椅子の幅方向両側に配置される一対の側板を備え、前記脚内ダクト部材は、前記一対の側板の間で椅子の幅方向に延びる基部を備える構成でもよい。
この場合、脚内ダクト部材を一対の側板間で強度部材として機能させることができる。また、脚内ダクト部材が側板に連結（固着）されない構成であっても、側板の暴れ（振動、撓み等）をある程度の範囲に抑えることができる。
また、上記椅子ユニットにおいて、前記脚内ダクト部材は、前記基部の両側に一対の起立部を有する断面視門形である構成でもよい。
この場合、脚内ダクト部材自体の強度を増強することができる。
また、上記椅子ユニットにおいて、前記一対の起立部は、前記一対の側板にそれぞれ連結される構成でもよい。
この場合、脚部材全体の強度を増強することができる。
【発明の効果】
【０００９】
本発明によれば、物品が出し入れされる脚部材内に配線を設置する場合にも、配線と物品との干渉を無くし、配線の破損を防止するとともに物品収納空間を広くすることが可能な椅子ユニットを提供することができる。
【図面の簡単な説明】
【００１０】
【図１】本発明の実施形態における椅子ユニットを正面側から見た斜視図である。
【図２】上記椅子ユニットの正面図である。
【図３】上記椅子ユニットの平面図である。
【図４】上記椅子ユニットの側面図である。
【図５】上記椅子ユニットを背面側から見た斜視図である。
【図６】上記椅子ユニットの脚部の第一側部パネルを外した状態の斜視図である。
【図７】図６の側面図である。
【図８】上記脚部の脚内ダクト部材の変形例を示す斜視図である。
【図９】上記椅子ユニットの座体下方の遮蔽部材周辺の斜視図である。
【図１０】上記椅子ユニットの座体下方の電気部品周辺の斜視図である。
【発明を実施するための形態】
【００１１】
以下、本発明の一実施形態について図面を参照して説明する。なお、以下の説明における前後、左右及び上下の向きは、椅子の座体上で背凭れに背を向けて着座した着座者を基準とする。また、前記着座者の「前方」を図中矢印ＦＲで示し、「上方」を図中矢印ＵＰで示し、「左方」を図中矢印ＬＨで示す。
【００１２】
図１〜図５に示すように、本実施形態の椅子１は、例えば劇場、講堂、ホール、会議場、待合室等において、建物の床面（フロア）Ｆに固定的に複数設置される。椅子１は、左右方向（幅方向）に複数（図では三脚）並び、これらが一体的に連結されて連結椅子１００を構成し、かつこの連結椅子１００が前後方向に複数並んで設置される。
【００１３】
個々の椅子１は、椅子１の幅方向に離間して床面Ｆ上に起立する一対の脚体２と、一対の脚体２の間に配置される跳ね上げ式の座体３と、座体３の後方に配置されて立ち上がる背凭れ４と、各脚体２の上部に設けられる肘掛け５と、を備える。これら脚体２、座体３、背凭れ４及び肘掛け５を含んで、椅子１における着座者の荷重を受ける構造体としての椅子本体６が構成される。
【００１４】
図６、図７を参照し、各脚体２は、椅子１の幅方向と直交するように起立する一対の側板８，９を、幅方向で間隔を空けて対向配置して構成される。以下、一対の側板８，９の内、脚体２の左側に位置するものを第一側板８、脚体２の右側に位置するものを第二側板９と称する。
【００１５】
第一側板８は、例えば鋼板に曲げ加工を施して形成される。第一側板８は、例えば側面視で下辺側が狭い逆台形状をなす側面部８ａと、側面部８ａの上端縁及びからそれぞれ略水平に屈曲して右方に延びる上面部８ｂ及び下面部８ｃと、上面部８ｂの右側縁から下方に延びる上内側フランジ８ｄと、下面部８ｃの右側縁から上方に屈曲して延びる下内側フランジ８ｅと、を有する。
【００１６】
第二側板９は、第一側板８と同様の鋼板を用いて、第一側板８の側面部８ａとほぼ同形状の逆台形状をなす平板状に形成される。第二側板９の上部には、第一側板８の上内側フランジ８ｄが当接して溶接等により結合される。第二側板９の下部には、第一側板８の下内側フランジ８ｅが当接して溶接等により結合される。
【００１７】
第一側板８の側面部８ａの後部と第二側板９の後部との間には、両側板８，９と同様の鋼板で形成される脚内ダクト部材１０が挟み込まれる。この脚内ダクト部材１０を介して、第一側板８及び第二側板９の後部間が溶接等により結合される。
これら両側板８，９及び脚内ダクト部材１０により、脚体２における前方に開放する箱状をなす鋼板製のフレーム体１１が構成される。脚内ダクト部材１０の詳細は後述する。
【００１８】
図１を併せて参照し、フレーム体１１における幅方向の外側面１１ａ（第一側板８の左側面及び第二側板９の右側面）には、例えば木製（ベニヤ板や木質材料を含む）又は樹脂製の化粧板１２が取り付けられる。フレーム体１１の上面には、化粧板１２と同様の木製又は樹脂製の肘掛け５が取り付けられる。脚体２の上部は肘掛け５の支持部を構成する。脚体２の上部及び肘掛け５は、使用状態の着座面３ａの上方において、左右方向で隣り合う隣席との間の隔壁としても機能する。各脚体２（フレーム体１１）は、その下端を床面Ｆに当接させた状態で、アンカーボルトＡＮ等により床面Ｆに固定される。
【００１９】
座体３は、左右脚体２間で着座面３ａを略水平にした使用状態（図中符号３で示す）と、その前側を上方に変位させて着座面３ａを起立させた収納状態（図中符号３’で示す）と、の間で回動可能に設けられる。座体３は、着座面３ａを形成する座クッション３ｂと、座クッション３ｂを支持する不図示の座フレームと、座フレームにおける着座面３ａとは反対側の下面３ｄを覆う下面パネル３ｃと、を有する。
【００２０】
図４を併せて参照し、座体３における使用状態での後側にある基端部は、左右方向に沿う支持軸１３を介して左右脚体２の軸支持部１４に支持される。座体３は、使用状態での前側にある先端部を上下に変位させるように、支持軸１３を中心に回動する。例えば支持軸１３の周囲には、座体３を収納状態へ跳ね上げるように付勢する不図示の付勢機構が設けられる。図中符号Ｃ１は支持軸１３の中心軸線を示す。
【００２１】
支持軸１３は、例えば角鋼管で形成される。支持軸１３の右端部は、第一側板８の左側面に固設される軸支持部１４に固定的に支持され、支持軸１３の左端部は、第二側板９の右側面に固設される軸支持部１４に固定的に支持される。
【００２２】
図１、図４を参照し、背凭れ４は、左右脚体２の後部間で鉛直方向に対して後傾した姿勢で配置される。背凭れ４は、背凭れ面４ａを形成する背クッション４ｂと、背クッション４ｂを後方から支持する背ベース板１８と、を備える。背クッション４ｂは、着座者の腰部を後方から支持し易いように、背凭れ面４ａの上下中間部よりも下側の位置を前方に凸の頂部４ｃとして形成される。
【００２３】
背ベース板１８は、前後方向に直交する鉛直面に対して後傾した平面に沿う平板状をなし、正面視で上下に長い長方形状に設けられる。背ベース板１８の下部には、床面Ｆに接地又は近接するまで延びる後壁部１８ａが、一対の脚体２の間に渡って設けられる。後壁部１８ａは、座体３の下方に配置される後述の電気部品３５を後方から遮蔽する。
図５を参照し、背ベース板１８（後壁部１８ａ）の下端部後側には、巾木１９ａが装着されるとともに、椅子１の後方に臨むコンセント１９ｂが設置される。背ベース板１８の上部後側の左右中央には収納式フック１９ｃが設置される。
【００２４】
図６を参照し、背ベース板１８の左右側部には、椅子１の左右脚体２の後部が、それぞれ一対の連結ブラケット２１を介して連結、固定される。連結ブラケット２１は、脚体２（フレーム体１１）の外側面１１ａに沿って配置される側面部２１ａと、側面部２１ａの後端位置から左右方向に屈曲して背ベース板１８の前面に沿って延びる後面部２１ｂと、を有する。側面部２１ａは、フレーム体１１の外側面１１ａに後述する溶接ボルト１０ｅを用いた締結等により固定され、後面部２１ｂは、背ベース板１８の前面に適宜の締結具を用いた締結等により固定される。
【００２５】
ここで、図５を参照し、各椅子１の背ベース板１８の両側部は、脚体２の後面の一部又は全部を閉塞するように固定される。これにより、背ベース板１８の両側部が、脚内ダクト部材１０内の配線挿通空間Ｋ２の後方を遮蔽する後方遮蔽部１８ｃとして機能する。なお、後方遮蔽部１８ｃは、左右側板８，９の少なくとも一方の後端部を側方へ折り曲げたり、別部材のカバーを脚体２の後面側に固着した構成としてもよい。
【００２６】
図６、図７を参照し、脚体２内の脚内ダクト部材１０は、両側板８，９と同様の鋼板を用いて上下方向に延びる帯状に形成される。脚内ダクト部材１０は、帯幅方向を左右方向に沿わせて上下方向に延び、側面視で適宜屈曲して形成される。脚内ダクト部材１０は、両側板８，９の後縁よりも前方で該後縁と略平行に配置される傾斜延出部１０ａと、傾斜延出部１０ａの上端から屈曲して略垂直に上方へ延びる上方延出部１０ｂと、を備える。脚内ダクト部材１０の傾斜延出部１０ａ及び上方延出部１０ｂは、両側板８，９間で左右方向と平行に延びる基部を構成する。
【００２７】
傾斜延出部１０ａの左右側縁からは、左右接合フランジ１０ｃがそれぞれ後方に屈曲して延びる。上方延出部１０ｂの左右側縁からは、左右上接合フランジ１０ｄが後方に屈曲して延びる。左右接合フランジ１０ｃ及び左右上接合フランジ１０ｄは、それぞれ各側板８，９の内側面に溶接等により結合される。脚内ダクト部材１０の左右接合フランジ１０ｃ及び左右上接合フランジ１０ｄは、基部の両側における一対の起立部を構成する。これら基部及び一対の起立部により、脚内ダクト部材１０の断面形状が後方に開放する門形に形成される。
【００２８】
なお、各接合フランジ１０ｃ，１０ｄの各側板８，９に対する連結構造として、図８に示すように、各接合フランジ１０ｃ，１０ｄにそれぞれフック状の切り欠き１０ｃ１，１０ｄ１を形成し、これら各切り欠き１０ｃ１，１０ｄ１を各側板８，９に固設した複数のボルト等の係止ピン１０ｅ１にそれぞれ上方から係止する構成としてもよい。この場合、各接合フランジ１０ｃ，１０ｄを各側板８，９に溶接する場合と比べて、脚内ダクト部材１０内の配線挿通空間Ｋ２のメンテナンス性が高まる。また、脚内ダクト部材１０が各側板８，９に固着されない構成であっても、断面門形の脚内ダクト部材１０が両側板８，９間に挟まれることで、両側板８，９の暴れ（振動、撓み等）がある程度の範囲に抑えられる。
【００２９】
図６、図７に戻り、左右接合フランジ１０ｃ及び左右上接合フランジ１０ｄには、それぞれ脚体２の外側方に向けてネジ軸を突出させる溶接ボルト１０ｅが固設される。各溶接ボルト１０ｅのネジ軸は、各側板８，９を貫通して脚体２の外側方に突出する。各溶接ボルト１０ｅは、連結ブラケット２１の側面部２１ａをフレーム体１１の外側面１１ａに固定可能とする。
脚内ダクト部材１０により、両側板８，９間の空間が後方から閉塞されるとともに前方に開放する。脚体２の前部には、物品収納空間Ｋ１に前方からアクセス可能とする開口部２ａが形成される。
【００３０】
図１〜図５を参照し、連結椅子１００において、各椅子１には、左右一側（本実施形態では右側）の脚体２の物品収納空間Ｋ１が利用可能に割り当てられる。各椅子１における左右他側（本実施形態では左側）の脚体２は、該左右他側に並ぶ椅子１の物品収納空間Ｋ１を形成する。すなわち、各椅子１において、左右一対の脚体２の内の右側のものが、着座者に利用可能に割り当てられる。以下、着座者に利用可能とする脚体２を当該椅子１の箱状脚体２ということがある。
【００３１】
連結椅子１００の内、最も左右他側（左側）に位置する脚体２は、他の脚体２と同様の構成であるが、例えば脚体２前部の開口部２ａを閉塞部材２ｂによって閉塞することにより、内部空間の利用が制限される。なお、当該脚体２も他の脚体２と同様、開口部２ａを開放させて内部空間を利用可能としてもよい。
【００３２】
脚内ダクト部材１０は、後述する機器接続部３０から延びる脚内配線３１を挿通するための配線挿通空間Ｋ２を、物品収納空間Ｋ１と隔てて脚体２内に形成する。
脚内ダクト部材１０の下部には、脚体２内かつ物品収納空間Ｋ１の下方で前下がりに傾斜して延びる脚内下部カバー部材２２が、前方から螺合するボルト２２ｂ（図８参照）等により着脱可能に固定される。
【００３３】
ここで、脚体２の下端を床面Ｆに固定するアンカーボルトＡＮは、第一側板８の下面部８ｃを貫通して脚体２の内部に突出する。このアンカーボルトＡＮに脚体２内からナットを螺着し締め込むことで、脚体２がその内部から床面Ｆに固定される。アンカーボルトＡＮ及び下面部８ｃは、脚体２を床面Ｆに対して固定する脚体固定部２３を構成する。
【００３４】
脚体２内において、脚体固定部２３は、椅子１の奥行方向奥側（後側）から手前側（前側）に延びる脚内下部カバー部材２２により上方から覆われる。この脚内下部カバー部材２２により、脚体固定部２３の周辺空間と物品収納空間Ｋ１とが隔てられる。脚内下部カバー部材２２の前下端には、後方へ屈曲する前下フランジ２２ａが設けられる（図６、図７参照）。これにより、脚内下部カバー部材２２の前下端に床面Ｆに当接又は近接する下向面が形成される。
【００３５】
図６、図７を参照し、各椅子１は、天板２６を箱状脚体２内に収納可能な可動式のテーブル装置２５を備える。
テーブル装置２５は、例えば左右方向に沿う第一回動軸２７ａ及び該第一回動軸２７ａと直交する第二回動軸２７ｂを有する回動機構２７を介して、箱状脚体２のフレーム体１１の上部に支持される。天板２６は、物品収納空間Ｋ１に椅子１の幅方向と略直交する姿勢で収納される収納状態と、物品収納空間Ｋ１から取り出されて略水平な姿勢で保持される使用状態と、の間で回動可能に支持される。
【００３６】
図中符号２６は収納状態にある天板２６、図中符号２６’は収納状態から第一回動軸２７ａ中心に回動して脚体２の前上方に取り出された中間状態にある天板２６、図中符号２６”は前記中間状態において前後方向に沿うように配置された第二回動軸２７ｂ中心に回動して座体３の前上方に略水平に配置された使用状態にある天板２６をそれぞれ示す。
【００３７】
図１、図３を併せて参照し、肘掛け５の後部には、外部の機器を電気的に接続可能とする機器接続部３０が設けられる。機器接続部３０は、例えば電源用の差込プラグを差し込むためのコンセント（プラグ受け）等の配線差込口とされる。配線差込口としては、例えばＡＣ１００Ｖのコンセントの他、ＬＡＮ（Local Area Network）用、ＵＳＢ（Universal Serial Bus）用等のポート又はジャックといった配線差込口であってもよい。また、配線差込口は一口に限らず複数口であってもよい。さらに、本実施形態の配線差込口は上方に開口する（すなわち上方から差込プラグを差し込む）構成であるが、前後左右かつ下方さらには斜め方向の何れに開口する配線差込口でもよい。また、背凭れ４の後方に開口する配線差込口も有り得る。
【００３８】
なお、本実施形態では、連結椅子１００の一部の椅子１の肘掛け５のみに機器接続部３０を設けているが、全ての椅子１の肘掛け５のみに機器接続部３０を設けてもよい。また、肘掛け５に限らず、床面Ｆ上方において椅子本体６における着座者がアクセスし易い適所に機器接続部３０を設けてもよい。ここで、肘掛け５の後部に機器接続部３０を設けると、着座者がアクセスし易くかつ肘掛け５に置いた腕が干渉し難く、さらに肘掛け５上に機器を載置することも可能であるため好ましい。またこのとき、肘掛け５の後方は背凭れ４等で遮蔽されていることが悪戯防止の面で好ましい。
【００３９】
図９、図１０を参照し、各椅子１において、座体３の下方には、機器接続部３０に接続される電気部品３５が配置される。ここで、各椅子１においては、椅子本体６と、機器接続部３０及び脚内配線３１と、座体３下方の電気部品３５と、座体３の下方で一対の脚体２の間に渡って設けられて電気部品３５を遮蔽する遮蔽部材４０と、を含んで椅子ユニット１Ａが構成される。
【００４０】
電気部品３５は、床面Ｆ上で幅方向に横送りされる床上配線３６の他、電源ユニット（電力変換器）及び各種接続箱（中継端子箱）等の電気装置３７を含む。電気装置３７は、床下から延伸される床下配線３６ａ（図１０参照）により通電されるもので、脚内配線３１を通じて機器接続部３０に至る床上配線３６とともに電気部品３５を構成する。また、床下配線３６ａが無い構成（例えば電気装置３７がバッテリーである場合等)であってもよい。機器接続部３０が通信用である場合、電気装置３７はルータ等の通信機器を含む。
【００４１】
遮蔽部材４０は、床面Ｆとの間に、脚内ダクト部材１０内の配線挿通空間Ｋ２（第一配置空間）の下部と連通する電気部品配置空間Ｋ３（第二配置空間）を形成する。遮蔽部材４０は、座体３の下方で前下がりに傾斜する平板状の傾斜部４１を備える。傾斜部４１は、電気部品３５を上方から覆って前端を床面Ｆ上に接地又は近接させるスロープ状に設けられる。これにより、遮蔽部材４０の前端から着座者の脚が当たるような段差を無くすとともに、座体３下方の清掃のし易さを向上させる。
【００４２】
図６、図７を併せて参照し、傾斜部４１の後縁には、上方に屈曲して背ベース板１８の後壁部１８ａの前面に沿って延びる後上フランジ４２が形成される。後上フランジ４２は、後壁部１８ａに締結孔を含んで設けられる締結孔部１８ｂに、適宜の締結具を用いて固定される。後上フランジ４２は、後壁部１８ａの締結孔部１８ｂとともに、遮蔽部材４０を背凭れ４に対して固定する背側固定部４３を構成する。遮蔽部材４０が背凭れ４に固定されることで、背ベース板１８で閉塞されない椅子１の前側から遮蔽部材４０の着脱作業を行う際、作業者が背側固定部４３を正面に目視しながら背側固定部４３へアクセス可能となり、遮蔽部材４０の着脱作業を容易にする。
【００４３】
遮蔽部材４０の固定時、傾斜部４１の前縁４１ａは床面Ｆに当接又は近接し、傾斜部４１の両側縁４１ｂは脚体２の内側面に当接又は近接する。これにより、遮蔽部材４０の下後方には、傾斜部４１、床面Ｆ及び後壁部１８ａに囲まれて左右方向に延びる電気部品配置空間Ｋ３が、両脚体２の内側面間に渡って設けられる。電気部品配置空間Ｋ３の左右端部は、脚体２内で脚内ダクト部材１０に区画されて脚内配線３１を挿通可能とする配線挿通空間Ｋ２の下部と連通する。これらの空間を通じて、座体３下方の電気部品３５から椅子本体６の適所に配置される機器接続部３０まで、容易に通線することができる。脚体２の側板には、例えば矩形状の配線挿通孔７ａが形成され、化粧板１２には、配線挿通孔７ａと重なる位置に比較的小径の配線挿通孔１２ａが形成される。各配線挿通孔７ａ，１２ａは、側面視で電気部品配置空間Ｋ３と重なる位置に設けられる。これらの配線挿通孔７ａ，１２ａを通じて、隣り合う椅子１の電気部品配置空間Ｋ３間で床上配線３６を送ることが可能となる。図中符号１２ｂは化粧板１２における側板の軸支持部１４を避ける開口を示す。
【００４４】
機器接続部３０と電気部品３５との間の通線は、椅子本体６を床面Ｆに設置した状態で行う。このとき、例えば横並びの複数の椅子１の内の一部のみにおいて、当該椅子１の座体３下方の床面Ｆ上に、床上配線３６とともに電源ユニット等の放熱する電気部品３５を配置する。放熱する電気部品３５を遮蔽する遮蔽部材４０（図２中右側に符号４０’で示す）には、例えば傾斜部４１に複数の通気孔４０ａが形成される。
【００４５】
遮蔽部材４０を固定する背側固定部４３は、座体３の下端よりも下方に配置される。具体的に、遮蔽部材４０は、使用状態の座体３の下面３ｄよりも下方に配置されるとともに、収納状態の座体３の下端３ｅよりも下方に配置される。これにより、座体３を取り外すことなく遮蔽部材４０を着脱可能となる。また、座体３が収納状態でも作業が可能であり、背ベース板１８で閉塞されない椅子１の前側から遮蔽部材４０の着脱作業を行う際、作業者が背側固定部４３に近付き易く作業性がよい。
【００４６】
なお、図９に示すように、遮蔽部材４０の傾斜部４１の前縁４１ａから後方に屈曲し、床面Ｆに接地又は近接する下向面を形成する前下フランジ４４ａを備えてもよい。この場合、傾斜部４１の前縁４１ａのみが床面Ｆに当接する場合と比べて、床面Ｆの傷付きが抑えられる。前下フランジ４４ａは床面に固定してもよい。前下フランジ４４ａ等により遮蔽部材４０を床面Ｆに固定する場合、背側固定部４３を無くして遮蔽部材４０を椅子本体６に固定しない（椅子本体６から切り離して独立させた）構成としてもよい。
【００４７】
また、遮蔽部材４０の傾斜部４１の側縁４１ｂを脚体２の外側面に固定する脚側固定部４４ｂ（図では遮蔽部材４０側のフランジのみ示す）を備えてもよい。脚側固定部４４ｂは、適宜の締結具を用いる構成の他、図８に示す脚内ダクト部材１０と同様、遮蔽部材４０側のフランジにフック状の切り欠きを複数形成し、これら各切り欠きを脚体２に固設した複数の係止ピンにそれぞれ上方から係止する構成としてもよい。この場合、前記フランジを脚体２に締結する場合と比べて、遮蔽部材４０内の電気部品配置空間Ｋ３のメンテナンス性が高まる。また、締結具を用いる場合でも、椅子１の前側から背側固定部４３よりも近い位置にある脚側固定部４４ｂへアクセスして遮蔽部材４０を着脱できるので作業性がよい。
【００４８】
以上説明したように、上記実施形態における椅子ユニット１Ａは、椅子１の幅方向に離間して床面Ｆ上に起立する一対の脚体２と、前記一対の脚体２の間に配置される座体３と、を含む椅子本体６と、椅子本体６に設けられて外部の機器を電気的に接続可能とする機器接続部３０と、を備え、前記一対の脚体２の少なくとも一方は、その内部に外部から物品を出し入れ可能な物品収納空間Ｋ１を形成する箱状脚体２とされ、箱状脚体２の内部には、機器接続部３０から延びる脚内配線３１を挿通する配線挿通空間Ｋ２を、物品収納空間Ｋ１と隔てて形成する脚内ダクト部材１０が設けられている。
この構成によれば、物品収納空間Ｋ１を形成する箱状脚体２の内部に、物品収納空間Ｋ１と隔てて配線挿通空間Ｋ２を形成する脚内ダクト部材１０を設けることで、物品収納空間Ｋ１に出し入れされる物品と配線挿通空間Ｋ２に挿通される脚内配線３１との干渉を無くすことができる。これにより、物品との干渉による脚内配線３１の破損を防止するとともに、物品収納空間Ｋ１を可及的に広くすることができる。
【００４９】
また、上記椅子ユニット１Ａは、箱状脚体２の前部に、物品収納空間Ｋ１に物品を出し入れ可能とする開口部２ａが形成され、箱状脚体２の後部に、上下方向に延びる脚内ダクト部材１０が設けられている。
この構成によれば、箱状脚体２の前部で出し入れされる物品を避けて、箱状脚体２の後部に上下方向に延びる配線挿通空間Ｋ２を形成することで、機器接続部３０から箱状脚体２内を延びて床面Ｆ側に至る配線の設置位置を確定させ、物品収納空間Ｋ１を可及的に広くすることができる。
また、箱状脚体２内に天板２６を出し入れ可能とするテーブル装置２５を備える構成においては、物品収納空間Ｋ１及び天板２６の大きさを極力確保しながら、天板２６を箱状脚体２内に収納するときに天板２６と脚内配線３１とが干渉することを防止することができる。
さらに、椅子本体６が、座体３の後方に配置される背凭れ４を含み、箱状脚体２は、椅子１の幅方向両側に配置される一対の側板８，９の少なくとも一方が背凭れ４に連結されるので、箱状脚体２と背凭れ４とを連結して剛性の高い椅子本体６を形成することができる。
【００５０】
また、上記椅子ユニット１Ａは、脚内ダクト部材１０の下部に、箱状脚体２内かつ物品収納空間Ｋ１の下方で椅子１の奥行方向に延びる脚内下部カバー部材２２が着脱可能に固定され、脚内下部カバー部材２２は、箱状脚体２を床面Ｆに固定する脚体固定部２３を上方から覆って物品収納空間Ｋ１と隔てている。
この構成によれば、物品収納空間Ｋ１側から脚体固定部２３にアクセスして箱状脚体２を着脱可能とした上で、脚体固定部２３と物品収納空間Ｋ１とを隔てて固定部の露出を無くし、物品収納空間Ｋ１に出し入れされる物品と固定部との干渉を無くすとともに、見栄えを良好にすることができる。
【００５１】
また、上記椅子ユニット１Ａは、座体３の下方に配置されて機器接続部３０に接続される電気部品３５と、座体３の下方で一対の脚体２の間に渡って設けられて電気部品３５を遮蔽する遮蔽部材４０と、を備えている。
この構成によれば、機器接続部３０に接続される配線を含む電気部品３５を、座体３の下方の空きスペースを利用して配置することで、椅子１周辺の床面上に電気部品３５が配置されることを抑えることができる。
また、一対の脚体２の間の全幅に渡るスペースを、電気部品３５の配置スペースとして利用することができ、かつ配置される電気部品３５を遮蔽部材４０により覆い隠すことができる。
【００５２】
そして、座体３の下方で一対の脚体２の間に渡るスペースを中継位置として、機器接続部３０に配線を至らしめることが可能となり、床面Ｆから直接、椅子本体６の配線挿通部に配線を通す構成と比べて、椅子１及び配線の設置作業を容易にすることができる。
また、連結椅子１００において複数の機器接続部３０に通線する場合には、座体３の下方のスペースには配線の他、電源ユニット（電力変換器）及び各種接続箱（中継端子箱）等が配置されるが、これらの電気部品３５を容易に配置することが可能となり、設置作業をさらに容易にすることができる。
さらに、座体３の下方のスペースを電気部品３５の配置スペースとして利用しながら、電気部品３５に着座者の脚が当たる等の外乱から電気部品３５を保護し、かつ座体３下方の見栄え及び清掃性を向上させることができる。
【００５３】
また、上記椅子ユニット１Ａは、背凭れ４の下部に、床面Ｆに接地又は近接するまで延びる後壁部１８ａが一対の脚体２の間に渡って設けられ、後壁部１８ａは、遮蔽部材４０とともに電気部品３５を遮蔽している。
この構成によれば、背凭れ４下方の後壁部１８ａにより座体３の下方の電気部品３５を後方から遮蔽し、かつ遮蔽部材４０により電気部材を前方及び上方から遮蔽することで、椅子１の幅方向に延びるトンネル状の部品配置スペースを形成し、電気部品３５の保護性を高めるとともに、隣り合う椅子１間でも容易に通線することができる。
また、複数の椅子１を幅方向に複数並べて設置するにあたり、複数の椅子１に跨って配線を設置する場合（複数の機器接続部３０に通線する場合）にも、配線を椅子１の幅方向で容易に延ばして設置することができる。また、配線の他、電源ユニット（電力変換器）及び各種接続箱（中継端子箱）等の電気部品３５も、座体３の下方に容易に配置することができる。
【００５４】
また、上記椅子ユニット１Ａは、脚内ダクト部材１０が、上下方向に延びて脚内配線３１を挿通可能な配線挿通空間Ｋ２を形成し、遮蔽部材４０は、床面Ｆとの間に、配線挿通空間Ｋ２の下部と連通する電気部品配置空間Ｋ３を形成している。
この構成によれば、脚体２内を上下方向に延びる配線挿通空間Ｋ２と、遮蔽部材４０に覆われて椅子１の幅方向に延びる電気部品配置空間Ｋ３とを通じて、電気部品配置空間Ｋ３の電気部品３５から椅子本体６の適所に配置される機器接続部３０まで、容易に配線を設置することができる。
【００５５】
なお、本発明は上記実施形態に限られるものではなく、例えば、上記実施形態においては、椅子ユニット１Ａは椅子１を複数並べて連結した連結椅子１００に適用したが、これに限定されず、椅子ユニット１Ａは単体の椅子１に適用してもよい。
脚体２の物品収納空間Ｋ１は、テーブル装置２５に代わり荷物等を収納する構成としてもよい。
機器接続部３０としては、コンセント、ポート及びジャック等の配線差込口を例示したが、非接触で外部機器と電気的に接続可能な構成であってもよい。すなわち、電磁誘導作用により外部機器に非接触で給電可能な電力供給部であったり、近距離通信により外部機器と非接触で通信可能な通信部であってもよい。
背ベース板１８が床面Ｆに接地又は近接しない構成、すなわち遮蔽部材４０のみで空間を形成する構成でもよい。配線が脚体２内を通る構成に限らず、配線が背ベース板１８に設けた通路を通る構成でもよい。
背ベース板１８が短く、遮蔽部材４０のみで電気部品配置空間Ｋ３が形成される場合においては、例えば傾斜部４１の前縁４１ａから後方まで延伸した後にさらに上方へ屈曲して起立する部位を設けるか、あるいは傾斜部４１の後上端から下方へ折曲して延伸する部位を設ける等することにより、遮蔽部材４０に電気部品配置空間Ｋ３の後方を遮蔽する部位を形成することが望ましい。
そして、上記実施形態における構成は本発明の一例であり、当該発明の要旨を逸脱しない範囲で種々の変更が可能である。
【符号の説明】
【００５６】
１  椅子
１Ａ  椅子ユニット
２  脚体、箱状脚体
２ａ  開口部
３  座体
４  背凭れ
５  肘掛け
６  椅子本体
８  第一側板（側板）
９  第二側板（側板）
１０  脚内ダクト部材
１０ａ  傾斜延出部（基部）
１０ｂ  上方延出部（基部）
１０ｃ  接合フランジ（起立部）
１０ｄ  上接合フランジ（起立部）
１８  背ベース板
１８ａ  後壁部
１８ｃ  後方遮蔽部
２２  脚内下部カバー部材
２３  脚体固定部（固定部）
２５  テーブル装置
２６  天板
３０  機器接続部
３１  脚内配線（配線）
３５  電気部品
４０  遮蔽部材
１００  連結椅子
Ｆ  床面
Ｋ１  物品収納空間
Ｋ２  配線挿通空間
Ｋ３  電気部品配置空間
【図１】
0006508826.tif 000002
【図２】
0006508826.tif 000003
【図３】
0006508826.tif 000004
【図４】
0006508826.tif 000005
【図５】
0006508826.tif 000006
【図６】
0006508826.tif 000007
【図７】
0006508826.tif 000008
【図８】
0006508826.tif 000009
【図９】
0006508826.tif 000010
【図１０】
0006508826.tif 000011